(57)【要約】【課題】電子機器に嵌め易く抜けにくい構造を有するガスケット及びかかるガスケットを有する搭載した電子機器を提供する。【解決手段】電子機器の筐体の第１の面と当該第１の面に対向する第２の面を貫通する貫通孔に前記第１の面から押し込まれることによって前記筐体に固定され、前記電子機器からの電磁波を遮蔽するガスケットであって、前記筐体の前記第１の面に当接し、板ばねとして機能する蓋部と、前記筐体の前記貫通孔に挿入される挿入部とを有し、前記挿入部は、前記蓋部の略中央から延びて前記貫通孔に収納される支持部と、前記支持部に結合し、前記筐体の前記貫通孔から少なくとも部分的に突出して前記第２の面に当接する係止部とを有し、当該係止部は、前記支持部に結合された脚部と、当該脚部に結合し、当該脚部に対して鋭角をなすように配置された足部とを有することを特徴とするガスケットを提供する。【選択図】    図１
2004200444.tif 000002
【特許請求の範囲】
【請求項１】
電子機器の筐体の第１の面と当該第１の面に対向する第２の面を貫通する貫通孔に前記第１の面から押し込まれることによって前記筐体に固定され、前記電子機器からの電磁波を遮蔽するガスケットであって、
前記筐体の前記第１の面に当接し、板ばねとして機能する蓋部と、
前記筐体の前記貫通孔に挿入される挿入部とを有し、
前記挿入部は、
前記蓋部の略中央から延びて前記貫通孔に収納される支持部と、
前記支持部に結合し、前記筐体の前記貫通孔から少なくとも部分的に突出して前記第２の面に当接する係止部とを有し、
当該係止部は、
前記支持部に結合された脚部と、
当該脚部に結合し、当該脚部に対して鋭角をなすように配置された足部とを有することを特徴とするガスケット。
【請求項２】
前記係止部は、前記ガスケットの引き抜きを妨げ、前記足部から突出する突起を有することを特徴とする請求項１記載のガスケット。
【請求項３】
前記足部は、前記第２の面に当接可能な先端部を有し、当該先端部はガスケットの引き抜きを妨げる鋭角な断面形状を有することを特徴とする請求項１記載のガスケット。
【請求項４】
前記支持部は、前記貫通孔に対向する突起を有することを特徴とする請求項１記載のガスケット。
【請求項５】
請求項１乃至４のうちいずれか一項記載のガスケットを有する電子機器。
【発明の詳細な説明】
【０００１】
【発明の属する技術分野】
本発明は、一般に、電磁波の遮蔽に係り、特に、コンピュータや通信装置に搭載されているプリント板から放射される電磁波を防止するガスケットの構造に関する。
【０００２】
【従来の技術】
近年の電子機器の普及により、高性能な電子機器を供給する需要が益々高まっている。例えば、電子機器の一例としてのコンピュータや通信制御装置は、搭載されているプリント板からの電磁波対策としてその筐体に嵌め込み可能なガスケットを従来から使用している（例えば、特許文献１参照）。このような、ガスケットには、電磁波を遮蔽するという物理的な構造に加えて、電子機器の筐体に嵌め込み易く、かつ、脱落しにくい機械的な構造が求められる。
【０００３】
以下、従来のガスケット１０を、図２０及び図２１を参照して説明する。ここで、図２０は、従来のガスケット１０の外観斜視図である。同図に示すように、ガスケット１０は、蓋部２０と、挿入部３０とを有する。蓋部２０と挿入部３０により、ガスケット１０の断面は略π字形状を有している。挿入部３０は、筐体に挿入される部位であり、一対の略直方体形状の支持部３２と略直角三角柱形状の係止部３４とを有する。
【０００４】
図２１は、ガスケット１０をコンピュータの筐体２に挿入する前後の状態を示す断面図である。筐体２には貫通孔４が設けられている。支持部３２の長さは筐体２に設けられた貫通孔４の長さよりも多少長く設定されている。ガスケット１０は弾性部材から構成されているので、筐体２に挿入されるときは一対の支持部３２及び係止部３４が互いに接近するように変形し、係止部３４が貫通孔４から突出した後は互いに離間するように復帰する。
【０００５】
図２１に示すように、ガスケット１０が筐体２に挿入されると、蓋部２０は筐体２の上面６に当接し、挿入部３０の支持部３２は貫通孔４に位置し、係止部３４は筐体２の底面８にその張り出し部３５が接触するように貫通孔４の周りに配置される。係止部３４が底面８と接触することによって前記蓋部２０は板ばねとしての弾性力を筐体２に印加することができる。
【０００６】
このように、従来のガスケット１０は筐体２に挿入された後は、ガスケット１０を引き抜こうとしても係止部３４の張り出し部３５が筐体２の底面に引っ掛かり、ガスケット１０が一旦筐体２に装着された後は、容易にガスケット１０が筐体２から脱落しないように構成されている。
【特許文献１】
特開平８−２７４４８５号
【０００７】
【発明が解決しようとする課題】
図２２は、筐体２にガスケット１０を嵌め込む際及び引き抜く際の反力の一例を示すグラフである。図２２は、２回の実験（Ｆ１ＲＦ２とＦ２ＲＦ２）を行い、その結果を示したものである。同図に示すように、嵌めこみ時の反力は３６０ｇ（１８０ｇｘ２）／単位幅当たりであり、引き抜き時の反力は１４０ｇ（７０ｇｘ２）／単位幅当たりであることが理解される。これは、引き抜き力が嵌め込み力よりも小さく、ガスケット１０が抜け易いことを示している。換言すれば、従来のガスケット１０の構造は、嵌め易く抜けにくいという機械的な要求を必ずしも満足していなかった。ガスケット１０が脱落すれば、電子機器のプリント板から放射される電磁波やノイズ漏れが発生するために、例えば、その周辺に配置されたテレビの映像が乱れるなど、好ましくない。また、脱落したガスケット１０は小さいために紛失するなどの問題も招く。このため、引き抜き力が嵌め込み力よりも大きく、嵌め込み力もなるべく小さい方が好ましい。
【０００８】
そこで、本発明は、電子機器に嵌め易く抜けにくい構造を有するガスケット及びかかるガスケットを有する電子機器を提供することを例示的な目的とする。
【０００９】
【課題を解決するための手段】
かかる目的を達成するために、本発明の一側面としてのガスケットは、電子機器の筐体の第１の面と当該第１の面に対向する第２の面を貫通する貫通孔に前記第１の面から押し込まれることによって前記筐体に固定され、前記電子機器からの電磁波を遮蔽するガスケットであって、前記筐体の前記第１の面に当接し、板ばねとして機能する蓋部と、前記筐体の前記貫通孔に挿入される挿入部とを有し、前記挿入部は、前記蓋部の略中央から延びて前記貫通孔に収納される支持部と、前記支持部に結合し、前記筐体の前記貫通孔から少なくとも部分的に突出して前記第２の面に当接する係止部とを有し、当該係止部は、前記支持部に結合された脚部と、当該脚部に結合し、当該脚部に対して鋭角をなすように配置された足部とを有することを特徴とする。また、本発明の別の側面としてのガスケットは、電子機器の筐体の第１の面と当該第１の面に対向する第２の面を貫通する貫通孔に前記第１の面から押し込まれることによって前記筐体に固定され、前記電子機器からの電磁波を遮蔽するガスケットであって、前記筐体の前記第１の面に当接し、板ばねとして機能する蓋部と、前記筐体の前記貫通孔に挿入される挿入部とを有し、前記挿入部は、前記筐体の前記貫通孔から少なくとも部分的に突出して前記第２の面に当接する係止部とを有し、当該係止部は、前記支持部に結合された脚部と、当該脚部に結合し、当該脚部に対して鋭角をなすように配置された足部とを有することを特徴とする。
【００１０】
前記足部の先端部が前記第２の面に当接してもよい。前記脚部は、前記支持部の略中央から分岐してもよい。前記係止部は、前記足部から突出する突起を有してもよい。前記足部は、前記第２の面に当接可能な先端部を有し、当該先端部はガスケットの引き抜きを妨げる鋭角な断面形状を有してもよい。前記支持部は、前記貫通孔に対向する突起を有してもよい。前記係止部は錨形状を有してもよい。前記脚部は、前記支持部から鋭角に延びてもよい。
【００１１】
本発明の別の側面としてのガスケットは、電子機器の筐体の第１の面と当該第１の面に対向する第２の面を貫通する貫通孔に前記第１の面から押し込まれることによって前記筐体に固定され、前記電子機器からの電磁波を遮蔽するガスケットであって、前記筐体の前記第１の面に当接し、板ばねとして機能する蓋部と、前記筐体の前記貫通孔に挿入される挿入部とを有し、前記挿入部は、前記筐体の前記貫通孔から少なくとも部分的に突出して前記第２の面に当接する係止部とを有し、当該係止部は、互いに対向する一対の突起を有し、当該一対の突起は、前記ガスケットが前記筐体に挿入される際には接触せず、前記ガスケットを前記筐体から引き抜く際には接触するように配置されていることを特徴とする。
【００１２】
本発明者らは、上述の構造を有するガスケットが電子機器に嵌め込み易く抜けにくいことを実験的に確認した。これらのガスケットを有する電子機器も本発明の一側面を構成する。
【００１３】
本発明の他の目的及び更なる特徴は、以下、添付図面を参照して説明される実施例により明らかにされる。
【００１４】
【発明の実施の形態】
本発明者らは、従来のガスケット１０の構造を部分的に改良しながら嵌め込み力と引き抜き力に関するシミュレーションを行った。以下に、変更された構造とその効果について検討する。
【００１５】
まず、本発明者らは、挿入部３０の剛性を高めて引き抜き力を増加することを検討した。このため、図２０に示す一対の支持部３２の間を埋めて一の部材にして図１６に示すようなガスケット１０Ａを作成し、その反力についてシミュレーションを行った。図１６に示すガスケット１０Ａは、一の支持部３２Ａを有する以外はガスケット１０と同様である。ここで、図１６は、ガスケット１０Ａの外観斜視図である。ガスケット１０Ａが貫通孔４に挿入されると、係止部３４の張り出し部３５が塑性変形して潰れてしまったが、挿入時及び抜き取り時の反力が増大することが分かった。
【００１６】
次に、本発明者らは、底面８との接触面積を増やして引き抜き力を増加するために、図２０に示す係止部３４の張り出し部３５の長さを延ばすことを検討した。その際、図２０に示すように、張り出し部３５は支持部３２に対して垂直方向に延ばすと挿入時の反力が大きくなる。このため、支持部３２に対して鋭角に延びた張り出し部３５Ａを有する係止部３４Ａを含むガスケット１０Ｂを作成し、その反力についてシミュレーションを行った。図１７に示すガスケット１０Ｂは、張り出し部３５Ａを有する以外はガスケット１０と同様である。ここで、図１７は、ガスケット１０Ｂの外観斜視図である。ガスケット１０Ｂが貫通孔４に挿入されると、係止部３４Ａの張り出し部３５Ａが良好に変形し、挿入時の反力は減少し、抜き取り時の反力が増大することが分かった。
【００１７】
次に、本発明者らは、筐体２に装着された一対の係止部３４が互いに接近して引き抜かれることを防止することを検討した。このため、図２０に示す係止部３４の内側に突起３６を設けたガスケット１０Ｃを作成し、その反力についてシミュレーションを行った。図１８に示すガスケット１０Ｃは、突起３６を有する以外はガスケット１０と同様である。ここで、図１８は、ガスケット１０Ｃの外観斜視図である。ガスケット１０Ｃが貫通孔４に挿入されると、係止部３４の突起３６が塑性変形して潰れてしまったが、挿入時及び抜き取り時の反力が増大することが分かった。
【００１８】
次に、本発明者らは、図２０に示す支持部３２に貫通孔４に対向する突起３３を設けるシミュレーションを行った。図１９に示すガスケット１０Ｄは、突起３３を有する以外はガスケット１０と同様である。ここで、図１９は、ガスケット１０Ｄの外観斜視図である。ガスケット１０Ｄは挿入時の反力は減少し、抜き取り時の反力が増大することが分かった。
【００１９】
以下、添付図面を参照して本発明の一実施形態としてのガスケット１００について説明する。ガスケット１００は、上述のシミュレーションの結果を踏まえて作成されたものである。ここで、図１は、ガスケット本体１０１の外観斜視図である。図２は、ガスケット本体１０１をコンピュータの筐体２に挿入する前後の状態を示す断面図である。なお、以下の説明では、参照番号に大文字のアルファベットを付したものはアルファベットのない参照番号の部材の変形例であり、特に断らない限り、アルファベットのない参照番号によって総括されるものとする。
【００２０】
ガスケット１００は、図９に示すように、シリコンゴムなどの弾性材料から構成されるガスケット本体１０１と、それを覆うための断面略半円状の綿１９０と導電性布１９０とを有する。導電性布１９０は、電磁波を遮蔽する機能を有し、綿１９２は弾力性を持たせて、導電性布１９０の破損を防止する機能を有する。導電性布１９０と綿１９２には、ガスケットに関して周知のいかなる材料や製造、取り付けをも使用することができるので、ここでは詳しい説明は省略する。
【００２１】
ガスケット本体１０１は、図１に示すように、蓋部１１０と、挿入部１２０とを有し、ガスケット２０と同様に、シリコンゴムなどの弾性部材から構成されている。蓋部１１０と挿入部１２０により、ガスケット本体１０１は、断面が略π字形状を有している。
【００２２】
蓋部１１０は、筐体２の表面６に接触し、板ばねとして機能する。蓋部１１０は、図１に示すＭ方向に延びる略断面Ｖ字形状を有し、図２に示すように、筐体２の表面６に一対の端部１１２を介して接触する。端部１１２は、断面が面取り又は曲線的に形成されており、その形状は、こぶ状になっている蓋部２０とは異なっているが、蓋部１１０は蓋部２０と実質的に同一の機能を有する。従って、蓋部１１０の端部１１２は、蓋部２０と同様の形状や他の形状を有してもよい。板ばねの弾性力は、蓋部１１０の中央部の先端と端部１１２の表面６と接触する部分との距離Ｌを調節することにより調節可能である。蓋部１１０は、板ばね機能により、筐体２に挿入された後に中央の稜線１１４が押圧されると変形可能である。蓋部１１０の上面には、図９に示すように、綿１９０と導電性布１９２が取り付けられる。
【００２３】
挿入部１２０は、図１及び図２に示すように、筐体２の貫通孔４に挿入される部位であり、支持部１３０と、一対の係止部１４０とを有する。
【００２４】
支持部１３０は、蓋部１１０の略中央から延びて貫通孔４に収納される。支持部１３０は、基部１３２と、基部１３２に設けられて貫通孔４に対向する一対の突起１３４とを有する。
【００２５】
本実施形態の支持部１３０は、図２０に示すガスケット１０の一対の支持部３２とは異なり、一の部材から構成されている。即ち、一対の支持部３２の内側が埋められたような略直方体形状を有する基部１３２を構成している。これは、図１６に示すガスケット１０Ａのシミュレーション結果から、引き抜き時の反力の増大が見られるからである。本実施形態の基部１３２の幅Ｗ１は、例えば、貫通穴４の幅Ｗの４０％乃至６０％に設定されている。
【００２６】
一対の突起１３４は、支持部１３０から貫通孔４の内面に突出し、ガスケット１００の引き抜き時に突起１３４が貫通孔４の内面と接触し、引き抜き時の抵抗及び反力を高める。本実施形態の突起１３４は、例えば、貫通孔の幅の約２０％乃至３０％に設定されている。突起１３４を基部１３２に設ける代わりに、基部１３２の幅Ｗ１を増加させてもよい。但し、幅Ｗは、係止部１４０の塑性変形を招かない範囲で増加されなければならない。
【００２７】
本実施形態の突起１３４は、それぞれ、例示的に略半円形状を有する。しかし、ガスケット１００の引き抜き時の反力を増加する目的から、斜め上方に延びていてもよい。また、突起１３４の数は一つに限定されない。図４に、基部１３２から斜め上方に延びる２対の突起１３４Ａの片側の２つの突起１３４Ａの拡大側面図を示す。上下の突起１３４Ａの形状や長さは異なってもよい。斜め上方に延びることで、突起１３４Ａは挿入を補助するように変形し、引き抜きを防止するように貫通孔４の内面に抵抗を加える。引き抜き時に貫通孔４の内面との抵抗を高めるために、突起１３４Ａの先端を大きくしてもよい。
【００２８】
係止部１４０は、支持部１３０の略中央から略Ｖ字形状に分岐し、図２に示すように、筐体２の貫通孔４から少なくとも部分的に突出して筐体２の裏面８に接触する。
【００２９】
一対の係止部１４０の各々は、支持部１３０の基部１３２に結合された脚部１４１と、脚部１４１に結合し、脚部１４１に対して鋭角をなすように配置された足部１４２とを有する。
【００３０】
脚部１４１は、本実施形態では、支持部１３０の基部１３２の略中央から２つに分岐し、分岐の角度θ２は鋭角であるが、図１０を参照して後述されるように、本発明は脚部１４１が支持部１３０から分岐することを要求するものではないし、支持部１３０から延びる角度θ２が鋭角であることを要求するものではない。脚部１４１は、弾性変形可能で、足部１４２を支持する機能を有する。脚部１４１の長さは、足部１４２が底面８に接続可能な長さに設定される。
【００３１】
足部１４２は、脚部１４１に対して角度θ１が鋭角をなすように配置されている。これは、本発明者らのシミュレーションによれば、図２０に示すように、支持部３２から係止部３４が直交する方向に延びていれば係止部１４０が塑性変形しやすく、また、角度θ１が鈍角であれば、ガスケットの引き抜き時の反力の低下をもたらし易いことによる。足部１４２は、脚部１４１と結合する結合部１４４ａと先端部１４４ｂとを有する。
【００３２】
本実施形態では結合部１４４ａは足部１４２の踵部であるが、本発明は足部１４２がその中間で足部１４２と結合されることを妨げるものではない。
【００３３】
先端部１４４ｂは筐体２の裏面８に接触する。先端部１４４ｂは、突起１３４よりも外側に位置していなければならない。突起１３４よりも内側であれば孔４の内面及び底面８に接触せずに係止機能を果たさなくなるからである。
【００３４】
先端部１４４ｂの形状は、図５に示すように、断面を円形から鋭角にすると、先端部１４４ｂは挿入を補助するように変形し、引き抜きを防止するように底面８に抵抗を加えるために好ましい。ここで、図５は、図１に示す足部１４２の変形例としての足部１４２Ａの拡大断面図である。必要があれば、切断端１４５の表面を粗したり、粘着性材料を塗布したりするなどして抵抗を増加させてもよい。なお、切断端１４５は底面８に対向するように形成される必要がある。切断端１４５が反対側の面に形成されると、ガスケットの挿入時の反力の増加を招くからである。
【００３５】
図２は、ガスケット１００をコンピュータの筐体２に挿入する前後の状態を示す断面図である。ガスケット１００が筐体２に挿入されると係止部１４０の先端部１４４ｂが貫通孔４と内面８との境界付近に配置可能な程度の長さを係止部１４０は有する。
【００３６】
ガスケット１００を筐体２に挿入するときは、ユーザはガスケット１００を貫通孔４上にセットし、蓋部１１０に押圧することによって押し込む。必要があれば、一対の足部１４２を親指と人差し指で窄めて貫通孔４に押し込んでもよい。ガスケット１００は弾性部材から構成されているので、足部１４２が貫通孔４に接触した後は内側に折れ曲がり、一対の係止部１４０が互いに接近するように変形し、貫通孔４内に押し込まれる。
【００３７】
筐体２に挿入された後は、係止部１４０が貫通孔４から突出し、その後は互いに離れるように復帰する。また、図２に示すように、蓋部１１０の端部１１２は筐体２の上面６に接触し、挿入部１２０の支持部１３０は貫通孔４に位置し、係止部１４０は筐体２の底面８及び貫通孔４の境界付近にその先端部１４４ｂが接触するように配置される。係止部１４０が底面８と接触することによって前記蓋部１１０は板ばねとしての弾性力を筐体２に印加することができる。
【００３８】
このように、ガスケット１００は筐体２に挿入された後は、ガスケット１００を引き抜こうとしても係止部１４０の足部１４２の先端部１４４ｂが筐体２の底面８及び貫通孔４に引っ掛かり、ガスケット１００が一旦筐体２に装着された後は、容易にガスケット１００が筐体２から脱落しないように構成されている。
【００３９】
図３は、筐体２にガスケット１００本体を嵌め込む際及び引き抜く際の反力の一例を示すグラフである。図２２は、２回の実験（Ｆ１ＲＦ２＿９０００１とＦ２ＲＦ２＿９０００２）を行い、その結果を示したものである。同図に示すように、嵌めこみ時の反力は３２０ｇ（１６０ｇｘ２）／単位幅当たりであり、引き抜き時の反力は４００ｇ（２００ｇｘ２）／単位幅当たりであった。
【００４０】
図２２の結果と比較すると、引き抜き力は嵌め込み力よりも大きくなり、抜けにくくなったことが理解される。また、嵌め込み力は３６０ｇから３２０ｇへの減少し、引き抜き力は１４０ｇから４００ｇへと増加している。このため、ガスケット１００は、ガスケット１０よりも、嵌め込みが容易になり、脱落防止機能が向上している。このように、ガスケット１００は、嵌め易く抜けにくいという機械的な要求を従来よりも満足しているといえる。
【００４１】
図６に、ガスケット本体１０１の変形例としてのガスケット１０１Ａを示す。ガスケット本体１０１Ａは、係止部１４０Ａが足部１４２Ａの踵に互いに向かい合うように突出する突起１４８を有する点で、係止部１４０と相違する。
【００４２】
突起１４８は、図７を参照して説明するようにガスケット本体１０１Ａの引き抜きを妨げ、足部１４２Ａから突出する。
【００４３】
図７（ａ）は、ガスケット１００Ａを筐体２に挿入する前後の突起１４８の状態を示す断面図である。同図に示すように、ガスケット本体１０１Ａを筐体２に挿入すると、一対の足部１４２が貫通孔４に当たって内側に折れ曲がり、その結果、その踵は互いに離れるように変形する。このため、足部１４２の踵に設けられた突起１４８は互いに離れるように変形する。このように、突起１４８は、ガスケット１００Ａの挿入を特に妨害しない。
【００４４】
一方、図７（ｂ）は、ガスケット本体１０１Ａを筐体２から引き抜き開始時及び引き抜き終了時の突起の状態を示す断面図である。まず、本発明者らは、ガスケット１００Ａを筐体２に挿入すると、殆どの場合、図７（ａ）に示すように、足部１４２は貫通孔４から外側に完全には開かず、その先端部１４４ｂが底面８及び貫通孔４の内面との境界付近に位置することを発見した。また、本発明者らは、かかる状態で、ガスケット１００Ａを引き抜こうとすると、先端部１４４ｂが貫通孔４の内面に沿ってずれるように上昇するように移動することも発見した。
【００４５】
このため、突起１４８が存在する場合、図７（ｂ）に示すように、ガスケット１００Ａを筐体２から引き抜こうとすると、先端部１４４ｂが貫通孔４の内面に引きずられて外側に変形し、その結果、その踵は互いに接近するように変形する。このため、足部１４２の踵に設けられた突起１４８は互いに接近するように変形し、最終的には接触する。その後も、ガスケット１００Ａを引き抜こうとすると、引き抜き力は、突起１４８が接触した後の弾性変形及び突起１４８の大きさによっては塑性変形に必要な力に抗して行われることになる。このため、突起１４８は、引き抜き力を増加させることができる。本発明者らのシミュレーションによれば、引き抜き力は約８００ｇと約６倍の増加を得ることができた。
【００４６】
本発明は、突起１４８の大きさや形状を特に限定するものではないが、ガスケット本体１０１Ａを引き抜く時に突起１４８が接触するように大きさや形状が決定されることが好ましい。ガスケット本体１０１Ａを引き抜く時に突起１４８が接触しなければ、突起１４８は引き抜き力の増大に寄与しないからである。但し、引き抜き時に突起１４８が塑性変形するかどうかは選択的である。なぜなら、ガスケットが劣化して交換する需要がある場合などに過度に大きな引き抜き力を設定すると交換作業が困難になるおそれがあるからである。
【００４７】
また、突起１４８はガスケット１００の引き抜きを妨げるように作用すれば足り、本発明は、突起１４８が一つのみ設けられる場合及び３つ以上設けられる場合もカバーする。
【００４８】
図８（ａ）乃至８（ｃ）に、図５と同様に、ガスケット本体１０１Ａに切断端１４５を設けた例を示す。図８（ａ）は、ガスケット本体１０１Ａを筐体２に挿入する前の切断端１４５と突起１４８を示す部分断面図である。図８（ｂ）は、ガスケット本体１０１Ａを筐体２に挿入する前後の切断端１４５及び突起１４８の状態を示す断面図である。図８（ｃ）は、ガスケット本体１０１Ａを筐体２から引き抜き開始時及び引き抜き終了時の切断端１４５及び突起１４８の状態を示す断面図である。
【００４９】
図８（ｂ）に示すように、切断端１４５及び突起１４８はガスケットの挿入を妨げず、挿入後は切断端１４５は貫通孔４と底面８の境界付近に位置している。また、突起１４８は外側に多少開いている。また、図８（ｃ）に示すように、切断端１４５は、ガスケットの引き抜き時には底面８に引っ掛かり、引き抜きを困難にしている。突起１４８は内側に変形して対向する図示しない突起１４８に当接して引き抜きを困難にしている。
【００５０】
図１０に、ガスケット本体１０１の別の変形例としてのガスケット本体１０１Ｂを示す。ガスケット本体１０１Ｂは、係止部１４０Ｂが錨形状を有する足部１４２Ｂを有する点で、係止部１４０と相違する。
【００５１】
具体的には、係止部１４０Ｂは、支持部１３２に結合される脚部１４１Ｂと、脚部１４１Ｂに結合された脚部１４２Ｂとを有する。本実施形態の脚部１４１Ｂは、支持部１３０から分岐せずに一の部材として構成されている。脚部１４１Ｂの長さは足部１４２が底面８に接続可能な長さに設定されなければならないことは、図１と同様である。脚部１４１Ｂの幅は、足部１４２Ｂにある程度の剛性を与えて足部１４２Ｂが引き抜き時に用意に変形しない程度に設定される。
【００５２】
足部１４２Ｂの先端部１４４ｂは、突起１３４よりも外側に位置していなければならないことは図１と同様である。また、足部１４２Ｂが延びる角度θ３は機能的には図１に示すθ２に対応するので、ここでは説明は省略する。図１０に示す足部１４２Ｂは、その断面が、中心角１２０度の円弧に相当する形状を有するが、楕円、二次曲線、その他の曲線形状、Ｖ字形状その他の形状を有することができる。
【００５３】
以下、図１１乃至図１５を参照して、本発明の電子機器の一例としてのネットワーク機器２００について説明する。ここで、図１１は、ネットワーク機器２００の外観斜視図である。図１２は、ＰＩＵ２００の構造を示す図である。図１３は、ネットワーク機器２００からプラグインユニット（以下、「ＰＩＵ」という。）を抜き取る様子を示す外観斜視図である。
【００５４】
図１１に示すように、ネットワーク機器２００は、同一又は異なる種類の複数のＰＩＵ２１０を着脱可能に収納するラック又は棚状の通信制御装置である。本実施形態では、ネットワーク機器２００は、７つのＰＩＵ２００を収納することができるが、その数は例示的である。また、図１１は、異なる種類のＰＩＵも便宜上同一の参照符号を付している。
【００５５】
図１２は、ＬＡＮコネクタ２２０を有する種類のＰＩＵ２１０を示す図であり、図１２（ａ）は、ＰＩＵ２１０のイジェクト機構２４０の底面図、図１２（ｂ）は、ＰＩＵ２１０の正面図、図１２（ｃ）は、ＰＩＵ２１０の平面図である。図１２（ｄ）は、図１２（ｃ）の側面図である。
【００５６】
図１２に示すＰＩＵ２１０は、図示しないプリント板を筐体２１２に収納し、各種コネクタ（２２０乃至２２４）と、ガイドモジュール２３０と、イジェクト機構２４０と、シールド用ガスケット２５０とを有する。
【００５７】
コネクタ２２０は、外部端末と接続されるＬＡＮコネクタであり、図１２に示すＰＩＵには複数設けられている。各ＬＡＮコネクタ２２０には図示しないパーソナルコンピュータ（以下、「ＰＣ」という。）、ハブなど、ネットワーク上で通信を行う通信端末が、例えば、図示しないＵＴＰケーブルを介して、接続される。コネクタ２２２は、ネットワーク機器２００と接続されるコネクタである。コネクタ２２４は、電源供給用のコネクタである。ガイドモジュール２３０は、ＰＩＵ２１０の着脱をガイドする機能を有し、当業界で周知のいかなる構成をも適用することができるので、ここでは詳しい説明は省略する。
【００５８】
イジェクト機構２４０は、ＰＩＵ２１０をネットワーク機器２００からイジェクトする機能を有し、一対のＬ字形状のカードイジェクタ２４２と、それに設けられたタブ２４４から構成されている。ユーザはタブ２４４を、例えば、親指で図１２（ａ）に示すＦ方向に引くことによってこの原理を利用してＰＩＵ２１０をネットワーク機器２００からイジェクトすることができる。イジェクト機構２４０には当業界で周知のいかなる構成をも適用することができるので、ここでは詳しい説明は省略する。
【００５９】
ＰＩＵ２１０は、図１２（ｃ）及び図１２（ｄ）に示すように、シールド用のガスケット２５０を更に有する。ガスケット２５０は、ＰＩＵ２１０の左右の側面をシールドするように両側に設けられている。シールド用ガスケット２５０には、ガスケット１００を適用することができる。これにより、ＰＩＵ２１０のプリント板からの電磁波又はノイズが外部に漏れることを防止することができる。
【００６０】
図１３は、部分的にネットワーク機器２００からイジェクトされるＰＩＵ２１０の状態を示している。図１４は、図１３に示すＡ部の拡大斜視図である。図１４に示すように、ネットワーク機器２００は、内部にシールドガスケット２７０を有する。シールド用ガスケット２７０には、ガスケット１００を適用することができる。これにより、ネットワーク機器２００の図示しないプリント板からの電磁波又はノイズが外部に漏れることを防止することができる。
【００６１】
また、図１５（ａ）は、図１１に示すネットワーク機器２００に収納される３段のＰＩＵ２１０の正面図である。図１５（ｂ）は、ＰＩＵ２１０側の図１３のガスケット２７０接触する箇所２６０を示す側面図である。図１５（ｃ）は、下側のＰＩＵ２１０のガスケット２５０が上側のＰＩＵ２１０の図１２（ａ）に対応する図のどの部分で接触するかを示す図であり、斜線部Ｓ３は接触部を示す。
【００６２】
図１５（ａ）の矢印Ｓ１で示すように、コネクタ２２０のシールドはコネクタ２２０のバネと表板角穴との接触によって行い、矢印Ｓ２で示すように、隣のＰＩＵ２１０のガスケットとの接触により電磁波のシールドを確保する。また、上述のように、綿１９２には弾力性があるので、上側のＰＩＵ２１０が導電性布１９０に接触したり、導電性布１９０上を移動したりしても破損することはない。
【００６３】
本発明のガスケット２５０及び２７０を適用したネットワーク機器２００によれば、ネットワーク機器２００及びＰＩＵ２１０からでる電磁波が外部に漏れることを防止することができる。
【００６４】
以上、本発明の実施態様をここで説明したが、本発明はこれらの実施態様に限定されるものではなく、その要旨の範囲内で様々な変形及び変更が可能である。例えば、本発明が適用可能な電子機器はネットワーク機器に限定されない。
【００６５】
本出願は更に以下の事項を開示する。
【００６６】
（付記１）  電子機器の筐体の第１の面と当該第１の面に対向する第２の面を貫通する貫通孔に前記第１の面から押し込まれることによって前記筐体に固定され、前記電子機器からの電磁波を遮蔽するガスケットであって、前記筐体の前記第１の面に当接し、板ばねとして機能する蓋部と、前記筐体の前記貫通孔に挿入される挿入部とを有し、前記挿入部は、前記蓋部の略中央から延びて前記貫通孔に収納される支持部と、前記支持部に結合し、前記筐体の前記貫通孔から少なくとも部分的に突出して前記第２の面に当接する係止部とを有し、当該係止部は、前記支持部に結合された脚部と、当該脚部に結合し、当該脚部に対して鋭角をなすように配置された足部とを有することを特徴とするガスケット。（１）
（付記２）  電子機器の筐体の第１の面と当該第１の面に対向する第２の面を貫通する貫通孔に前記第１の面から押し込まれることによって前記筐体に固定され、前記電子機器からの電磁波を遮蔽するガスケットであって、前記筐体の前記第１の面に当接し、板ばねとして機能する蓋部と、前記筐体の前記貫通孔に挿入される挿入部とを有し、前記挿入部は、前記筐体の前記貫通孔から少なくとも部分的に突出して前記第２の面に当接する係止部とを有し、当該係止部は、前記支持部に結合された脚部と、当該脚部に結合し、当該脚部に対して鋭角をなすように配置された足部とを有することを特徴とするガスケット。
【００６７】
（付記３）  前記足部の先端部が前記第２の面に当接することを特徴とする付記１又は２記載のガスケット。
【００６８】
（付記４）  前記脚部は、前記支持部の略中央から分岐することを特徴とする付記１又は２記載のガスケット。
【００６９】
（付記５）  前記係止部は、前記ガスケットの引き抜きを妨げ、前記足部から突出する突起を有することを特徴とする付記１又は２記載のガスケット。（２）
（付記６）  前記足部は、前記第２の面に当接可能な先端部を有し、当該先端部はガスケットの引き抜きを妨げる鋭角な断面形状を有することを特徴とする付記１又は２記載のガスケット。（３）
（付記７）  前記支持部は、前記貫通孔に対向する突起を有することを特徴とする付記１又は２記載のガスケット。（４）
（付記８）  前記係止部は錨形状を有することを特徴とする付記１又は２記載のガスケット。
【００７０】
（付記９）  前記脚部は、前記支持部から鋭角に延びていることを特徴とする付記１又は２記載のガスケット。
【００７１】
（付記１０）  電子機器の筐体の第１の面と当該第１の面に対向する第２の面を貫通する貫通孔に前記第１の面から押し込まれることによって前記筐体に固定され、前記電子機器からの電磁波を遮蔽するガスケットであって、前記筐体の前記第１の面に当接し、板ばねとして機能する蓋部と、前記筐体の前記貫通孔に挿入される挿入部とを有し、前記挿入部は、前記筐体の前記貫通孔から少なくとも部分的に突出して前記第２の面に当接する係止部とを有し、当該係止部は、互いに対向する一対の突起を有し、当該一対の突起は、前記ガスケットが前記筐体に挿入される際には接触せず、前記ガスケットを前記筐体から引き抜く際には接触するように配置されていることを特徴とするガスケット。
【００７２】
（付記１１）  付記１乃至１０のうちいずれか一項記載のガスケットを有する電子機器。（５）
【００７３】
【発明の効果】
以上、本発明によれば、ガスケット及びそれを有する電子機器によれば、電子機器に嵌め込み易く抜けにくい構造を有するガスケット及びかかるガスケットを有する搭載した電子機器を提供することができる。
【図面の簡単な説明】
【図１】本発明の一実施形態としてのガスケット本体の構造を示す外観斜視図である。
【図２】図１に示すガスケット本体を電子機器の筐体に挿入する前後の様子を示す断面図である。
【図３】図１に示すガスケット本体を電子機器の筐体に嵌め込み及び引き抜きする際の反力を示すグラフである。
【図４】図１に示すガスケット本体の支持部に設けられる突起の変形例を示す部分断面図である。
【図５】図１に示すガスケット本体の係止部の変形例を示す部分断面図である。
【図６】図１に示すガスケット本体の変形例を示す外観斜視図である。
【図７】図６に示すガスケット本体を電子機器の筐体に挿入する前後の様子を示す断面図である。
【図８】図６に示すガスケット本体の支持部に設けられる突起の変形例を示す部分断面図である。
【図９】図１に示すガスケット本体を有する本発明の一実施形態としてのガスケットの外観斜視図である。
【図１０】図１に示すガスケット本体の別の変形例を示す外観斜視図である。
【図１１】本発明の電子機器の一例としてのネットワーク機器の外観斜視図である。
【図１２】図１１に示す電子機器に着脱可能に収納されるプラグインユニットの構造を示す図である。
【図１３】図１１に示すネットワーク機器から図１２に示すプラグインユニットを抜き取る様子を示す外観斜視図である。
【図１４】図１３に示すＡ部の拡大斜視図である。
【図１５】図１１に示すネットワーク機器のシールド構造を説明するための図である。
【図１６】従来のガスケットに対する改良例の外観斜視図である。
【図１７】従来のガスケットに対する改良例の外観斜視図である。
【図１８】従来のガスケットに対する別の改良例の外観斜視図である。
【図１９】従来のガスケットに対する別の改良例の外観斜視図である。
【図２０】従来のガスケットの外観斜視図である。
【図２１】図２０に示すガスケットをコンピュータの筐体に挿入する前後の状態を示す断面図である。
【図２２】図２０に示すガスケットを筐体に嵌め込む際及び引き抜く際の反力の一例を示すグラフである。
【符号の説明】
１００                              ガスケット
１０１、１０１Ａ、１０１Ｂ          ガスケット本体
１１０                              蓋部
１１２                              端部
１２０                              挿入部
１３０                              支持部
１３４、１３４Ａ                    突起
１４０                              係止部
１４１、１４１Ｂ                    脚部
１４２、１４２Ａ、１４２Ｂ          足部
１４４ａ                            結合部
１４４ｂ                            先端部
１４５                              切断端
１４８                              突起
２００                              ネットワーク機器（電子機器）
２１０                              プラグインユニット（ＰＩＵ）
２５０                              ガスケット
２７０                              ガスケット
【図１】
2004200444.tif 000003
【図２】
2004200444.tif 000004
【図３】
2004200444.tif 000005
【図４】
2004200444.tif 000006
【図５】
2004200444.tif 000007
【図６】
2004200444.tif 000008
【図７】
2004200444.tif 000009
【図８】
2004200444.tif 000010
【図９】
2004200444.tif 000011
【図１０】
2004200444.tif 000012
【図１１】
2004200444.tif 000013
【図１２】
2004200444.tif 000014
【図１３】
2004200444.tif 000015
【図１４】
2004200444.tif 000016
【図１５】
2004200444.tif 000017
【図１６】
2004200444.tif 000018
【図１７】
2004200444.tif 000019
【図１８】
2004200444.tif 000020
【図１９】
2004200444.tif 000021
【図２０】
2004200444.tif 000022
【図２１】
2004200444.tif 000023
【図２２】
2004200444.tif 000024